(57)【要約】【目的】この考案は、小型アンテナの特性を測定する際に当該アンテナに接続する同軸ケーブルに放射特性への影響を軽減あるいは除去するためのものである。【構成】小型アンテナ１に接続する同軸ヶーブル３にフライト素子１１ａ〜１１ｆを装着する。【選択図】図１
2004282678.tif 000002
【特許請求の範囲】
【請求項１】
小型アンテナの特性を測定する際に当該アンテナに接続するケーブルを装着し当該ケーブルによる当該アンテナの放射特性への影響を軽減あるいは除去するための設備において、当該アンテナから放射される無線信号の周波数に対し、ケーブルに重畳する電波を減衰しあるいは吸収するための複数個のリング状フェライト素子あるいは柔軟板状のフェライトシートあるいは分割可能なフェライト素子を複数個使用することによる電波吸収体を当該ケーブルに装着したアンテナ測定用設備。
【請求項２】
当該フェライト素子あるいは柔軟板状のフェライトシートあるいは分割可能なフェライトを含む電波吸収体が、当該小型アンテナから放射される無線信号の波長に対して等価的に１／４あるいはそれ以上の長さであり、リング状あるいは分割可能なリング状を複数個あるいは柔軟板状のフェライトシートをらせん状にし、熱収縮チューブあるいは接着剤により当該同軸ケーブルの外周部に固定されることにより特性を安定に保つことを特徴とする請求項第１項に記載のアンテナ測定用設備。
【請求項３】
当該フェライト素子の単体周波数特性が１０００ＭＨｚ以下の周波数特性を保有するフェライト素子を複数使用することによりフェライトの単体周波数特性以上の高い周波数に対し、当該アンテナから放射される無線信号の周波数に対して、広帯域に電波を減衰しあるいは吸収することを特徴とする請求項第１項に記載のアンテナ測定用設備。
【発明の詳細な説明】
【０００１】
【産業上の利用分野】
この考案は、小型アンテナの特性を測定する際に当該アンテナに接続する同軸ケーブルに装着し当該同軸ケーブルによる当該アンテナの放射特性への影響を軽減あるいは除去するためのものである。
【０００２】
【従来の技術】
【図４】は、従来のシュペルトップの実施例である。
【図４】において、１は小型アンテナ、２ａ、２ｂはコネクタ、３は同軸ケーブル、４はシュペルトップである。当該シュペルトップ４は、同軸ケーブル３の外周部に設けられ当該ケーブル３の外導体に接続されており、当該アンテナ１から放射される無線信号の波長に対して等価的に１／４の長さに調整する必要があり、取り付け方法が複雑であり広帯域化が難しい欠点があった。
【図５】は従来のバランの実施例である。
【図５】において、１は小型アンテナ、２ｂはコネクタ、３、３ａは同軸ケーブルである。
３ａの同軸ケーブルは無線信号の波長に対して等価的に１／２の長さに調整する必要があり、組み立て方法が複雑でありサイズが大きく広帯域化が難しい欠点があった。
【図８】はバランの特性で使用帯域幅は中心周波数４２８ＭＨｚにおいて使用帯域幅は２５０ＭＨｚ程度ある。
【０００３】
【課題を解決するための手段】
この考案に係わるアンテナ測定用設備は、フェライトの磁性体減衰特性あるいは電波吸収特性を用いることで、小型で簡便な方法により、同軸ケーブルを接続したために当該アンテナの放射特性に影響を及ぼす程度を広帯域に軽減あるいは削除するためのものである。
【０００４】
【作用】
この考案において、請求項の第１項では、フェライト使うことにより電波減衰特性あるいは電波吸収特性を用いる。請求項の第２項では、当該ケーブルの周辺部に波長の１／４以上の長さで装着し熱収縮チュブあるいは接着剤で固定することにより特性の安定化を図ることが出来る。
請求項の第３項では、複数個のフェライトを用いることで同軸ケーブルの外皮導体とフェライト間のキャパシタンス特性とフェライト素子の持つインダクタンス特性により減衰量の大きなフィルタとしての特性を得ることで広帯域な周波数特性を有する。
【０００５】
【実施例】
以下、本特許の実施例を
【図１】に従って説明する。
【図１】において、１は小型アンテナ、２ａ、２ｂはコネクタ、３は同軸ケーブル、４は熱収縮チューブ、１１、１１ａ〜１１ｆはフェライトリング（磁性体素子）である。
フェライトリング１１はドウナツの形状をしており、複数のフェライトリング１１ａ〜１１ｆを同軸ケーブル３の屈曲に対して破損せず柔軟に対応するため分割して装着し、全長が小型アンテナ１から放射される電波の波長に対して１／４以上の長さであり、当該同軸ケーブル３の外周部に装着され、熱収縮チューブ４により固定されている。小型アンテナ１から放射された電波は、一部が同軸ケーブル３の外周に結合し高周波電流となって誘起するため小型アンテナ１の放射パターンが小型アンテナ１単独の場合と異なることになる。ここで、当該フェライトリング１１ａ〜１１ｆは、当該高周波電流を速やかに減衰させあるいは吸収することで当該放射パターンの乱れを防止するためのものである。
【図６】はフェライト素子単体の等価回路を考えたものである。
フェライト素子単体の特性が
【図７】の特性を持つことによりＲはフェライト素子単体の周波数では有効に作用するが、
【図７】のグラフ上にある特定の周波数を超えることにより単体ではＲ成分が作用しなくなる。周波数が高くなるに従いフェライト素子の持つインダクタンス成分と同軸ケーブルの外皮導体間のＣ成分が有効になり、フィルタの役目をする。素子単体でのＬＣ成分は小さいが複数個使用することにより、高い周波数でも有効に作用する。
実施例として
【図９】での特性は周波数２４８４ＭＨｚについて行った結果である。
【図９−１】の図はフェライトを２０個並べた同軸ケーブルに２４８４ＭＨｚの波長１／４の導体を取り付けた場合の特性である。
【図９−２】は同一寸法の同軸ケーブルにフェライトを使用しない場合の特性である。
【図９−３】は上記
【図９−１】と
【図９−２】のデータを比較したものである。また、当該フェライトリング１１ａ〜１１ｆの代わりに一般の電波吸収体を用いても同様な効果が得られる。
【０００６】
【図２】において、フェライトリング２１は２分割されており、複数のフェライトリング２１ａ〜２１ｆ同軸ケーブル３に装着されている。フェライトリング２１ａ〜２１ｆは２分割されているため着脱が容易である。
【０００７】
【図３】において、フェライトシート３１は、柔軟性のあるテープ状で、同軸ケーブル３に巻きつけることにより当該同軸ケーブル３が屈曲した場合でも破損せず柔軟に対応できる。
【０００８】
以上の説明では、フェライト材料、
【図７】を用いる場合について述べたが、他の電波吸収体を用いても同様な効果がある。また、熱収縮テープの代わりに接着剤により固定しても同様な効果が得られる。
【０００９】
【発明の効果】
本発明は、上記のように構成されているため、小型アンテナの特性を測定する場合、同軸ケーブルを接続するために当該小型アンテナの放射パターンが乱れることを防止することができる。なお、アンテナ利得が若干低下するが実用上問題とならない程度である。
【図面の簡単な説明】
【図１】本発明の一実施例を示す概念図である。
【図２】本発明の他の実施例を示す概念図である。
【図３】本発明の他の実施例を示す概念図である。
【図４】従来のシュペルトップの実施例を示す構成図である。
【図５】従来のバランの実施例を示す構成図である。
【図６】フェライト素子と同軸ケーブルの電気的等価回路である．
【図７】フェライト素子の特性図および寸法図である。
【図８】従来のバランの実施例による特性である。
【図９−１】本発明の実施例による特性図である。
【図９−２】本発明を施さない実施例による特性図である。
【図９−３】本発明と本発明を施さない実施例の特性の差の図である。
【符号の説明】
１                        小型アンテナ
２ａ、２ｂ                コネクタ
３                        同軸ケーブル
４                        シュペルトップ
５                        熱収縮チューブ
１１、１１ａ〜１１ｆ      リング状のフエライト素子
２１、２１ａ〜２１ｇ      分割されたフエライト素子
３１                      板状のフエライト素子
【図１】
2004282678.tif 000003
【図２】
2004282678.tif 000004
【図３】
2004282678.tif 000005
【図４】
2004282678.tif 000006
【図５】
2004282678.tif 000007
【図６】
2004282678.tif 000008
【図７】
2004282678.tif 000009
【図８】
2004282678.tif 000010
【図９−１】
2004282678.tif 000011
【図９−２】
2004282678.tif 000012
【図９−３】
2004282678.tif 000013